(57)【要約】【課題】  洗い作業中に補助テーブルを作業位置に保持して洗い作業を効率良く行うことができる流し台を提供すること。【解決手段】  流し本体４と、流し本体４の側面に取り付けられる補助テーブル６と、補助テーブル６を作業位置に固定するための固定用部材８とを備えた流し台。補助テーブル６は、流し本体４に取り付けるための第１支持部４２，４４と、補助テーブル６を作業位置に保持するための第２支持部４６，４８とを有し、第２支持部４６，４８は、第１支持部４２，４４を流し本体４に装着した状態において作業位置を超えて補助テーブル６を上方に旋回させて流し本体４に着脱自在に装着され、固定用部材８は、補助テーブル６と流し本体４との間の空間９４に着脱自在に挿入され、これによって補助テーブル６の作業位置を超える旋回動が阻止され、補助テーブル６が作業位置にロック保持される。【選択図】  図１
2006141704.tif 000002
【特許請求の範囲】
【請求項１】
流し本体と、前記流し本体の側面に取り付けられる補助テーブルと、前記補助テーブルを作業位置に固定するための固定用部材とを備え、
前記補助テーブルは、前記流し本体に取り付けるための第１支持部と、前記補助テーブルを前記作業位置に保持するための第２支持部とを有し、前記第２支持部は、前記第１支持部を前記流し本体に装着した状態において前記作業位置を超えて前記補助テーブルを上方に旋回させることによって、前記流し本体に着脱自在に装着され、
前記固定用部材は、前記補助テーブルと前記流し本体との間の空間に着脱自在に挿入され、これによって、前記補助テーブルの前記作業位置を超える上方への旋回動が阻止され、かくして、前記補助テーブルが前記第２支持部及び前記固定用部材によって前記作業位置にロック保持されることを特徴とする流し台。
【請求項２】
前記固定用部材は、実質上平坦な載置テーブル部と、前記載置テーブル部に設けられた挿入ロック部とを備えており、前記挿入ロック部が前記補助テーブルと前記流し本体との間の空間に着脱自在に挿入されることを特徴とする請求項１に記載の流し台。
【請求項３】
前記補助テーブルには当接突部が設けられ、前記固定用部材の前記挿入ロック部を前記補助テーブルと前記流し本体との間に挿入すると、前記載置テーブル部の一部が前記当接突部に接触乃至近接し、前記当接突部によって前記固定用部材の移動が拘束されることを特徴とする請求項２に記載の流し台。
【請求項４】
前記流し本体の側面には、一対の上側取付孔と、一対の下側取付孔とが水平方向に間隔を置いて設けられ、
前記補助テーブルは、前記一対の上側取付孔に対応して設けられた一対の第１支持部と、前記一対の下側取付孔に対応して設けられた一対の第２支持部とを有し、
前記一対の第１支持部が前記一対の上側取付孔に着脱自在に装着され、前記一対の第２支持部が前記一対の下側取付孔に着脱自在に装着され、
前記固定用部材は、前記流し本体と前記一対の第１支持部との間の空間に着脱自在に挿入されることを特徴とする請求項１に記載の流し台。
【請求項５】
前記第２支持部は、前記流し本体に当接する当接支持部を有しており、前記当接支持部が前記流し本体に当接することによって、前記補助テーブルの前記作業位置を超える下方への旋回動が阻止されることを特徴とする請求項１に記載の流し台。
【請求項６】
前記第１支持部は、前記補助テーブルが前記作業位置と収納位置との間を旋回動可能となるように前記流し本体に旋回自在に取り付けられており、前記補助テーブルを使用するときは、前記第２支持部が前記流し本体に着脱自在に装着されて前記補助テーブルが前記作業位置に保持されるとともに、前記固定用部材が前記流し本体と前記第１支持部との間の空間に着脱自在に挿入され、また補助テーブルを使用しないときには、前記固定用部材が前記流し本体と前記第１支持部との間の空間から外されるとともに、前記第２支持部が前記流し本体から離脱され、これによって、前記補助テーブルが前記流し本体の側面に沿って収納される前記収納位置に保持されることを特徴とする請求項１に記載の流し台。
【発明の詳細な説明】
【技術分野】
【０００１】
本発明は、野外などに設置して使用する流し台に関する。
【背景技術】
【０００２】
野菜などの集荷場や、食器、皿などを洗うキャンプ場などに、簡易的な流し台を設置すれば、野菜などを流し槽に入れて洗うことができるので、効率よく洗い作業を行うことができる。このような要望から、屋外で使用できる流し台が提案されている（例えば、特許文献１）。この屋外用流し台の流し本体は、野菜などを洗うための洗い槽と、この洗い槽の横側に配設されたテーブル部とを備えており、このテーブル部には、洗った後の野菜や食器などを置くことができ、従って、洗い作業を効率良く行うことができる。
【０００３】
【特許文献１】特開２００１−３４０４号公報
【発明の開示】
【発明が解決しようとする課題】
【０００４】
しかしながら、上述のような流し台では、流し本体が洗い槽及びテーブル部を備え、テーブル部は流し本体の横側に一体的に設けられており、それ故に、流し台自体が大型化するとともに、その重量も重くなり、固定的に設置する場合には問題とならないが、集荷場、作業場、倉庫、キャンプ場などで作業に応じて移動させて使用する場合には、その移動が大変で、移動させるのに人数が必要となり、その取扱いが容易でない。
【０００５】
そこで、テーブル部を洗い槽から分離し、洗い槽を備えた流し本体にテーブル部を着脱自在に設けることが考えられるが、着脱自在なテーブル部は、洗い作業中に物が当たったりすると、流し本体から動いたり、外れたりするおそれがあり、それ故に、テーブル部を単に着脱自在に取り付けるのみでは、洗い作業がスムーズに行われない、充分な安全性が確保できないなどの問題が生じる。
【０００６】
本発明の目的は、洗い作業中に補助テーブルを作業位置に保持して洗い作業を効率良く行うことができる流し台を提供することである。
【課題を解決するための手段】
【０００７】
本発明の請求項１に記載の流し台は、流し本体と、前記流し本体の側面に取り付けられる補助テーブルと、前記補助テーブルを作業位置に固定するための固定用部材とを備え、
前記補助テーブルは、前記流し本体に取り付けるための第１支持部と、前記補助テーブルを前記作業位置に保持するための第２支持部とを有し、前記第２支持部は、前記第１支持部を前記流し本体に装着した状態において前記作業位置を超えて前記補助テーブルを上方に旋回させることによって、前記流し本体に着脱自在に装着され、
前記固定用部材は、前記補助テーブルと前記流し本体との間の空間に着脱自在に挿入され、これによって、前記補助テーブルの前記作業位置を超える上方への旋回動が阻止され、かくして、前記補助テーブルが前記第２支持部及び前記固定用部材によって前記作業位置にロック保持されることを特徴とする。
【０００８】
また、本発明の請求項２に記載の流し台では、前記固定用部材は、実質上平坦な載置テーブル部と、前記載置テーブル部に設けられた挿入ロック部とを備えており、前記挿入ロック部が前記補助テーブルと前記流し本体との間の空間に着脱自在に挿入されることを特徴とする。
【０００９】
また、本発明の請求項３に記載の流し台では、前記補助テーブルには当接突部が設けられ、前記固定用部材の前記挿入ロック部を前記補助テーブルと前記流し本体との間に挿入すると、前記載置テーブル部の一部が前記当接突部に接触乃至近接し、前記当接突部によって前記固定用部材の移動が拘束されることを特徴とする。
【００１０】
また、本発明の請求項４に記載の流し台では、前記流し本体の側面には、一対の上側取付孔と、一対の下側取付孔とが水平方向に間隔を置いて設けられ、
前記補助テーブルは、前記一対の上側取付孔に対応して設けられた一対の第１支持部と、前記一対の下側取付孔に対応して設けられた一対の第２支持部とを有し、
前記一対の第１支持部が前記一対の上側取付孔に着脱自在に装着され、前記一対の第２支持部が前記一対の下側取付孔に着脱自在に装着され、
前記固定用部材は、前記流し本体と前記一対の第１支持部との間の空間に着脱自在に挿入されることを特徴とする。
【００１１】
また、本発明の請求項５に記載の流し台では、前記第２支持部は、前記流し本体に当接する当接支持部を有しており、前記当接支持部が前記流し本体に当接することによって、前記補助テーブルの前記作業位置を超える下方への旋回動が阻止されることを特徴とする。
【００１２】
また、本発明の請求項６に記載の流し台では、前記第１支持部は、前記補助テーブルが前記作業位置と収納位置との間を旋回動可能となるように前記流し本体に旋回自在に取り付けられており、前記補助テーブルを使用するときは、前記第２支持部が前記流し本体に着脱自在に装着されて前記補助テーブルが前記作業位置に保持されるとともに、前記固定用部材が前記流し本体と前記第１支持部との間の空間に着脱自在に挿入され、また補助テーブルを使用しないときには、前記固定用部材が前記流し本体と前記第１支持部との間の空間から外されるとともに、前記補助テーブルが前記流し本体の側面に沿って収納される前記収納位置に保持されることを特徴とする。
【発明の効果】
【００１３】
本発明の請求項１に記載の流し台によれば、第１支持部によって補助テーブルが流し本体の側面に取り付けられ、補助テーブルを作業位置（洗い作業を行うときの補助テーブルの位置であって、ほぼ水平に保持される位置をいう）より上方に旋回させて、第２支持部が流し本体に着脱自在に装着され、このように装着することによって、補助テーブルが作業位置に保持される。そして、この装着状態において、補助テーブルと流し本体との間の空間に固定用部材が着脱自在に挿入される。第２支持部は作業位置から上方に旋回させて着脱自在に流し本体に装着されているので、例えば、補助テーブルに下方向から上方向に外力が作用すると、第２支持部が流し本体から外れるおそれがあるが、補助テーブルと流し本体との間に固定用部材を挿入することによって、補助テーブルの作業位置からの上方への旋回動が確実に阻止され、これによって、補助テーブルを作業位置に確実にロック保持することができる。また、固定用部材は着脱自在に挿入されるので、この固定用部材を取り外して補助テーブルを作業位置より上方に旋回させることによって、第２支持部を流し本体から外すことができ、このようにして補助テーブルの作業位置への保持及び解除をスムーズに行うことができる。
【００１４】
また、本発明の請求項２に記載の流し台によれば、固定用部材が実質上平坦な載置テーブル部を備えているので、載置テーブル部の上に野菜や食器、皿などを置くことができ、洗い作業を効率よく行うことができる。また、固定用部材は挿入ロック部を備えているので、この挿入ロック部を補助テーブルと流し本体との間の空間に挿入することによって、補助テーブルの作業位置を超える旋回動を阻止することができる。
【００１５】
また、本発明の請求項３に記載の流し台によれば、補助テーブルには当接突部が設けられ、固定用部材の挿入ロック部を流し本体と補助テーブルとの間に挿入すると、固定用部材の載置テーブル部の一部がこの当接突部に接触乃至近接する。これによって、載置テーブル部が流し本体と補助テーブルの当接突部との間に挟まれた状態となるので、固定用部材の移動を拘束することができる。
【００１６】
また、本発明の請求項４に記載の流し台によれば、流し本体の側面に一対の上側取付孔及び一対の下側取付孔が水平方向に間隔を置いて設けられ、補助テーブルは、一対の上側取付孔に対応する一対の第１支持部と、一対の下側取付孔に対応する一対の第２支持部とを有している。この一対の第１支持部は一対の上側取付孔に着脱自在に装着され、一対の第２支持部は一対の下側取付孔に着脱自在に装着されるので、補助テーブルを簡単に且つ容易に、また安定的に流し本体に取り付けることができ、また取り付けた補助テーブルを流し本体から容易に取り外すことができる。更に、固定用部材が流し本体とこの一対の第１支持部との間の空間に着脱自在に挿入されるので、固定用部材と一対の第２支持部とによって補助テーブルを作業位置に確実にロック保持することができる。
【００１７】
また、本発明の請求項５に記載の流し台によれば、補助テーブルの第２支持部が、流し本体に当接する当接支持部を有しているので、補助テーブル上に例えば野菜や食器、皿などを置いても、この補助テーブルに作用する下方向の荷重は、、流し本体に当接する当接支持部を介して流し本体に伝わり、補助テーブルを作業位置に安定的に保持することができる。
【００１８】
また、本発明の請求項６に記載の流し台によれば、補助テーブルが作業位置と収納位置との間を旋回動可能なように流し本体に取り付けられている。補助テーブルを使用するときは、第２支持部を流し本体に着脱自在に装着して作業位置に保持した後に流し本体と第１支持部との間の空間に固定用部材を挿入すればよく、容易に且つ速やかに補助テーブルを作業位置に位置させることができる。また、補助テーブルを使用しないときには、固定用部材を外した後に第２支持部を流し本体から取り外せばよく、このようにして補助テーブルを収納位置にすることができ、この収納位置においては、補助テーブルは流し本体の側面に沿った状態となり、流し本体の側面側にコンパクトに収納することができる。
【発明を実施するための最良の形態】
【００１９】
以下、添付図面を参照して、本発明に従う流し台の最良の実施形態について説明する。
第１の実施形態
まず、図１〜図４を参照して、第１の実施形態の流し台について説明する。図１は、第１の実施形態の流し台を示す外観図であり、図２は、図１の流し台の流し本体を示す外観図であり、図３は、図１の流し台の補助テーブルを示す斜視図であり、図４は、図１の流し台の固定用部材を拡大して示す斜視図である。
【００２０】
図１において、流し台２は、流し本体４と、補助テーブル６と、固定用部材８とを備えている。この形態では、補助テーブル６は、流し本体４の右側面に着脱自在に取り付けられ、流し本体４と補助テーブル６との間の空間に固定用部材８が着脱自在に挿入されている。この流し台２は、例えば、集荷場、倉庫、農地、キャンプ場などに設置されている水栓１０に隣接するように設置され、水栓１０からの水によって野菜、食器、皿などを洗うのに用いられる。
【００２１】
図２を参照して、まず流し本体４について説明すると、流し本体４は、洗い作業を行うための洗い槽１２と、洗い槽１２の４側面を囲むように設けられた飾り板１４と、洗い槽１２を支持するための四つの支持脚、即ち第１〜第４支持脚１６，１８，２０，２２とを備えている。
【００２２】
洗い槽１２は、その大部分に凹状の槽部２３が設けられ、この槽部２３内に収容して水栓１０からの水を利用して野菜、食器、皿などを洗うことができる。この槽部２３の底部には排水口が設けられ、この排水口に排水ホース２４が接続されており、野菜などを洗った後の槽部２３内の水は排水ホース２４を通して排出される。
【００２３】
第１〜第４支持脚１６〜２２は、洗い槽１２の４角部にそれぞれ設けられて洗い槽１２を支持しており、これらの支持脚１６〜２２を介して流し台２が設置されている。第１〜第４支持脚１６〜２２はパイプ状部材から構成され、これらの下端部には、滑り止めを兼ねた例えばゴム製の保護キャップ（図示せず）を設けるようにしてもよい。
【００２４】
この実施形態では、流し台２を補強するために、第１及び第２支持脚１６，１８間と、第３及び第４支持脚２０，２２間とにそれぞれ補強部材２６，２８が設けられており、更に、一対の補強部材２６，２８間に格子体２７が着脱自在に取り付けられている。格子体２７は、図１及び図２において左上から右下に延びる第１及び第２横格子部材２９，３０と、図１及び図２において左下から右上に延びる縦格子部材３１とから構成されている。第１横格子部材２９と第２横格子部材３０とは縦方向（図１及び図２において左下から右上の方向）に間隔をおいて交互に設けられ、それらの両端部には下方の折曲された折曲部３３，３５が設けられている。第１横格子部材２９は第２横格子部材３０よりも幾分長く、それらの一端側（又は他端側）において、第１横格子部材２９の折曲部３３の内面と第２横格子部材３０の折曲部３５の外面との間に、補強部材２６（又は２８）を受け入れるための受部を規定している。また、縦格子部材３１は横方向（図１及び図２において左上から右下の方向）に間隔をおいて配設され、第１及び第２横格子部材２９，３０に固定されている。この格子体２７は、流し本体４の第１〜第４支持脚１６〜２２を補強する補強機能を有するとともに、洗い槽１２の下に物を置くための載置部ととしての載置機能を有している。この格子体２７の一端側では、第１及び第２横格子部材２９，３０の一端側の折曲部３３，３５間の受部内に補強部材２６が挿入され、またその他端側では、第１及び第２横格子部材２９，３０の他端側の折曲部３３，３５間の受部内に補強部材２８が挿入され、このようにして格子体２７が一対の補強部材２６，２８間に着脱自在に取り付けられる。尚、この格子体２７は、必要でなければ省略することもできる。
【００２５】
この形態では、流し本体４の第１及び第２支持脚１６，１８に補助テーブル６が着脱自在に取り付けられる。第１及び第２支持脚１６，１８の各上端部の所定位置には、補助テーブル６を取り付けるための上側取付孔３２，３４が水平方向に間隔をおいて設けられている。また、第１及び第２支持脚１６，１８における、上側取付孔３２，３４よりも下側部位に、水平方向に間隔を置いて下側取付孔３６，３８が設けられている。後述するように、一対の上側取付孔３２，３４は補助テーブル６を流し本体４に取り付ける際に利用され、一対の下側取付孔３６，３８は補助テーブルを作業位置に保持するために利用される。
【００２６】
次に、図３を参照して補助テーブル６について説明すると、補助テーブル６は、野菜、食器、皿などを載置することができるテーブル部４０と、流し本体４に取り付けるための一対の第１支持部４２，４４と、補助テーブル６を作業位置に保持するための一対の第２支持部４６，４８とを有している。テーブル部４０は、流し本体４側（図３において左側）が開放された外枠管部５０と、外枠管部５０の内側に横方向（図３において左右方向）に間隔をおいて配設された縦格子管部５２と、外枠管部５０の内側に縦方向（左下から右上の方向）に間隔をおいて配設された横格子管部５４とから構成され、縦格子管部５２及び横格子管部５４は、相互に固定されているとともに、外枠管部５０にも固定されている。この形態では、外枠管部５０と縦状管部５２とが実質上同一平面を規定し、補助テーブル６のテーブル面を規定している。
【００２７】
次に、第１支持部４２，４４について説明すると、これらは実質上同一に構成されており、ここでは一方の第１支持部４２について説明する。第１支持部４２は、テーブル部４０の外枠管部５０と一体的に構成され、図３において手前側の管部５０ａの一端部から垂直下方向に延びる取付用支持脚部５６と、取付用支持脚部５６の一端部（下端部）から水平方向に延びる取付用装着部５８と、取付用装着部５８の一端部（先端部）から垂直下方向に延びる取付用挿入部６０とから構成されている。取付用支持脚部５６と取付用挿入部６０との間に設けられた取付用装着部５８によって、第１支持部４２を上側取付孔３２に取り付けたときに、流し本体４と補助テーブル６との間（この実施形態では、流し本体４と補助テーブル６の一対の第１支持部４２の取付用支持脚部５８との間）に空間が生成され、その空間により、補助テーブル６を上記作業位置（図１に示す位置であって、補助テーブル６がほぼ水平に保持される位置）を超えて上方に旋回することが許容され、これによって、後述するように第２支持部４６，４８を流し本体４に装着することができる。この第１支持部４２は、取付用挿入部６０及び取付用装着部５８の一部を第１支持脚１６の上側取付孔３２内に挿入し、取付用挿入部６０を第１支持脚１６内にてそれに沿って延びるように位置させることによって、第１支持脚１６に着脱自在に装着される。尚、他の第１支持部４４も、外枠管部５０と一体的に構成され、図３において背面側の管部５０ｂから延びており、上述した第１支持部４２と同様に、取付用支持脚部６２と、取付用装着部６４と、取付用挿入部６６とから構成されており、これらの説明については省略する。
【００２８】
次に、一対の第２支持部４６，４８について説明すると、これらも実質上同一に構成されており、ここでは一方の第２支持部４６について説明する。第２支持部４６は、比較的長い保持用支持脚部６８と、保持用支持脚６８の一端部（先端部）から所定角度に曲げられて延びる当接支持部７０と、当接支持部７０の一端部（先端部）から直角に延びる保持用装着部７２とから構成されている。テーブル部４０の外枠管部５０の管部５０ａの他端側（図３において右側）には取付突部７４が設けられ、取付突部７４に保持用支持脚部６８の他端部（基部）が旋回自在に取り付けられている。この第２支持部４６は、保持用装着部７２を下側取付孔３６に挿入することによって、第１支持脚１６に着脱自在に装着され、かく装着した状態においては、その当接支持部７０が第１支持脚１６に当接し、補助テーブル６の上記作業位置を超える下方への旋回動が阻止され、これによって、補助テーブル６は上記作業位置に保持される。尚、他方の第２支持部４８も、外枠管部５０における、図３において背面側の管部５０ｂに旋回自在に取り付けられ、上述した一方の第２支持部４６と同様に、保持用支持脚部７６と、当接支持部７８と保持用装着部８０とから構成されており、これらについての説明は省略する。
【００２９】
次に、図４を参照して固定用部材８について説明すると、固定用部材８は、プラスチックなどの合成樹脂材料或いはステンレスなどの金属材料から形成されており、実質上平坦な載置テーブル部８２と、載置テーブル部８２の一側端部（図４において左側の側端部）に設けられた挿入ロック部８４とを備えており、挿入ロック部８４が載置テーブル部８２と一体的に形成されて略Ｌ字形状をしている。この固定用部材８が、流し本体４とこれに装着された補助テーブル６との間の空間に着脱自在に挿入され、かく装着することによって、補助テーブル６が作業位置にロック保持される。
【００３０】
載置テーブル部８２の長さＬ１は、補助テーブル６の長さＬ２（図３）と実質上等しく形成されており、また、載置テーブル部８２の幅Ｗ１は、補助テーブル６の取付用挿入部６０（６６）から流し本体４に近い側の縦格子管部５２までの幅Ｗ２（図３）と実質上等しく形成されている。また、載置テーブル部８２の厚さＴ１は、所定の厚さに形成されるが、比較的薄く形成されるほうがテーブル部４０との段差が小さくなるので好ましい。このような載置テーブル部８２は、挿入ロック部８４を流し本体４と補助テーブル６（具体的には、一対の第１支持部５６，６２の取付用支持脚部５６，６２）との間の空間に挿入したときにテーブル部４０の一部（図３において左端部）を覆ってテーブル面として機能し、その上に野菜や食器、皿などを置くことができ、また野菜などの食材を切ったりすることができる。この載置テーブル部８２の幅Ｗ１はより大きくし、テーブル部４０の約半分程度覆うようにしてもよく、或いはテーブル部４０の全体を覆うようにしてもよい。
【００３１】
挿入ロック部８４の長さは、載置テーブル部８２の長さＬ１と等しく形成され、挿入ロック部８４の幅Ｗ３は、第１支持部４２（４４）の取付用挿入部６０（６６）と取付用支持脚部５６（６２）との間の空間の幅Ｗ４（図３）と実質上等しく又はこの空間の幅よりも幾分小さく形成される。また、挿入ロック部８４の厚さＴ２は、第１支持部４２（４４）の取付用装着部５８（６４）からテーブル部４０の外枠管部５０の管部５０ａまでの長さＴ３（図３）と実質上等しく又はこの長さよりも幾分小さく形成される。挿入ロック部８４がこのように形成されるので、挿入ロック部８４を流し本体４と補助テーブル６との間の空間に挿入することができ、これによって、補助テーブル６が上記作業位置より上方に旋回することを防止することができる。
【００３２】
次に、図５〜図８を参照して、流し本体４への補助テーブル６の取付方法について説明する。図５は、補助テーブルの一対の第１支持部のテーブル本体４への装着様式を説明するための部分図であり、図６は、補助テーブルの一対の第２支持部のテーブル本体４への装着様式を説明するための部分図であり、図７は、固定用部材の装着様式を説明するための部分図であり、図８は、固定用部材が挿入された状態を示す部分図である。
【００３３】
流し本体４に補助テーブル６を装着するには、図５に示すように、まず、補助テーブル６を第１支持部４２，４４が上側になるように傾斜させ、第１支持部４２，４４の取付用挿入部６０，６６を第１及び第２支持脚１６，１８の上側取付孔３２，３４に矢印８６で示すように動かして挿入し、そして、補助テーブル６を矢印８８で示すように回しながらそれらの取付用挿入部６０，６６を第１及び第２支持脚１６，１８内に沿って挿入するとともに、それらの取付用装着部５８，６４を第１及び第２支持脚１６，１８の上側取付孔３２，３４に装着する。このようにして、補助テーブル６の第１支持部４２，４４が、流し本体４に取り付けられる。
【００３４】
次に、図６に示すように、補助テーブル６の一対の第１支持部４２，４４を流し本体４に取り付けた状態において、補助テーブル６の端部（流し本体４に装着した側とは反対の端部）を矢印９２で示すように上方に持ち上げ、補助テーブル６の第２支持部４６，４８の保持用装着部７２，８０を流し本体４の第１及び第２支持脚１６，１８の下側取付孔３６，３８に挿入し、補助テーブル６を矢印９２と反対方向に旋回させながら、これら保持用装着部７２，８０を下側取付孔３６，３８に押し込む。かく挿入すると、第２支持部４６，４８の当接支持部７０，７８が第１及び第２支持脚１６，１８に当接し、補助テーブル６は上記作業位置（図１及び図７に示す位置）に当接保持される。このようにして一対の第２支持部４６，４８が流し本体４に装着される。この装着状態においては、一対の第１支持部４２，４４の取付用挿入部６０，６６が第１及び第２支持脚１６，１８内を軸線方向に延びるとともに、一対の第２支持部４６，４８の当接支持部７０，７８が第１及び第２支持脚１６，１８に当接するので、これら取付用挿入部６０，６６及び当接支持部７０，７８によって補助テーブル６に作用する荷重を充分な強度でもって支持することができ、補助テーブル６を作業位置に保持することができる。
【００３５】
その後、図７及び図８に示すように、流し本体４（具体的には、第１及び第２支持脚１６，１８）と補助テーブル６（具体的には、一対の第１支持部４２，４４の取付用支持脚部５６，６２）との間の空間に矢印９６で示すように上方から固定用部材８の挿入ロック部８４を挿入し、その載置テーブル部８２をテーブル部４０上に載置する。かく装着すると、固定用部材８が流し本体４と補助テーブル８との間に嵌り込み、補助テーブル８の上記作業位置を超える上方への旋回動が阻止され、補助テーブル８は上記作業位置にロック保持される。
【００３６】
尚、流し本体４から補助テーブル８を取り外すには、上述した装着とは反対に行えばよく、固定用部材８を取り外し、次いで補助テーブル８の端部（図５〜図８において右側の端部）を幾分上方に旋回させながら第２支持部４６，４８を第１及び第２支持脚１６，１８の下側取付孔３６，３８から外し、その後、補助テーブル８の上記端部を幾分下方に旋回させながら第１支持部４２，４４を第１及び第２支持脚１６，１８の上側取付孔３２，３４から外せばよい。
【００３７】
第２の実施形態
次に、図９を参照して、第２の実施形態の流し台について説明する。図９は、第２の実施形態の流し台における補助テーブルの取付部分を示す拡大図である。尚、以下の実施形態において、第１の実施形態と実質上同一の部材には同一の参照番号を付し、その説明を省略する。
【００３８】
図９において、図示の流し台２Ａでは、補助テーブル部４０Ａの外枠管部５０Ａの上面に縦格子管部５２Ａが設けられ、この縦格子管部５２Ａの下面に横格子管部５４Ａが設けられ、横格子管部５４Ａが外枠管部５０Ａに同一面を規定するように取り付けられ、後述するように、流し本体４に最も近接する特定縦格子管部５２Ａが当接突部として機能する。この補助テーブル６Ａのその他の構成は、上述した第１の実施形態と実質上同一である。
【００３９】
この第２の実施形態では、補助テーブル６Ａの第１取付部４２（４４）の取付用挿入部６０（６６）から補助テーブル８Ａの特定縦格子管部５２Ａまでの長さＷ４が固定用部材８の載置テーブル部８２の幅Ｗ１と実質上等しい、又はこの幅Ｗ１よりも幾分大きく形成される。従って、固定用部材８の挿入ロック部８４を流し本体４と補助テーブル６Ａの間の空間９４に挿入すると、載置テーブル部８２の端部（（図９において右側の端部）が、補助テーブル６Ａの特定縦格子管部５２Ａに接触乃至近接する。
【００４０】
この第２の実施形態においては、流し本体４に補助テーブル６Ａを装着し、流し本体４と補助テーブル６Ａとの間の空間９４に固定用部材８を挿入した状態では、固定用部材８の載置テーブル部８２の端部が補助テーブル６Ａの特定縦格子管部５２Ａに接触乃至近接しているので、矢印１０６で示す方向（図９において右方）の固定用部材８の移動がこの特定縦格子管部５２Ａによって確実に阻止され、固定用部材８の挿入状態をより確実に保持することができる。
【００４１】
第３の実施形態
次に、図１０を参照して、第３の実施形態の流し台について説明する。図１０は、第３の実施形態の流し台における補助テーブルを示す部分図である。
【００４２】
図１０において、図示の流し台２Ｂでは、補助テーブル６Ｂが、実線で示す作業位置１１０と一点鎖線で示す収納位置１１２との間を旋回動可能なように流し本体４Ｂに取り付けられている。第１支持脚１６Ｂ及び第２支持脚１８Ｂの各上端部の所定位置には支持突部１１４，１１６が設けられており、補助テーブル６Ｂの一対の第１支持部４２Ｂ，４４Ｂの取付用装着部５８Ｂ，６４Ｂが、支持ピン１１５，１１７を介して支持突部１１４，１１６にそれぞれ回転自在に取り付けられている。このように構成されているので、補助テーブル６Ｂは、実線で示す作業位置（テーブル部４０がほぼ水平となる位置）と一点鎖線で示す収納位置（流し本体４Ｂの側面に沿って垂れ下がった状態となる位置）との間を旋回自在である。この第３の実施形態における流し台２Ｂのその他の構成は、上述した第１の実施形態と実質上同一である。
【００４３】
この第３の実施形態の流し台２Ｂにおいて、補助テーブル６Ｂを使用するときは、収納位置１１２から矢印１１８で示すように作業位置よりも幾分上方まで補助テーブル６Ｂを持ち上げ、第１の実施形態で説明したように、補助テーブル６Ｂの一対の第２支持部４６，４８を第１及び支持脚１６Ｂ，１８Ｂの取付孔３６，３８（図２も参照）にそれぞれ装着し、かく装着することによって、補助テーブル６Ｂが上記作業位置１１０に保持される。その後、固定用部材８の挿入ロック部８４を矢印１２０で示すように上方から流し本体４Ｂと補助テーブル６Ｂとの間の空間９４Ｂに挿入し、かく挿入することによって、補助テーブル６Ｂが上記作業位置１１０にロック保持される。
【００４４】
一方、補助テーブル６Ｂを作業位置１１０から収納位置１１２に収納するときは、まず、固定用部材８を矢印１２０と逆方向の上方に移動させて空間９４Ｂから取り外し、補助テーブル６Ｂを上記作業位置１１０から矢印１１８に示す上方に幾分旋回させ、一対の第２支持部４６，４８を流し本体４Ｂから外す。そして、支持ピン１１５，１１７を中心として矢印１２２に示すように補助テーブル６Ｂを下方向に旋回させて上記収納位置１１２に収納し、かく収納位置にすることによって、流し本体４Ｂの側面側にコンパクトに収納することができる。尚、必要に応じて、補助テーブル６Ｂを上記収納位置に保持するための保持手段（例えば、保持ベルトなどから構成することができる）を設けることができる。
【００４５】
尚、この形態においても、補助テーブル６Ｂのテーブル部４０を第２の実施形態と同様に構成し、流し本体４Ｂに最も近接する縦格子管部を当接突部として機能させるように構成することもできる。
【００４６】
以上、本発明に従う流し台の各種実施形態について説明したが、本発明はかかる実施形態に限定されるものではなく、本発明の範囲を逸脱することなく種々の変形乃至修正が可能である。
【００４７】
例えば、上述した実施形態では、補助テーブルを流し本体の右側面に取り付けているが、これに限らず、流し本体の左側面、前側面又は後側面などに設けるようにしてもよい。
【００４８】
また、上述した実施形態では、固定用部材を載置テーブル部及び挿入ロック部を有するものから構成しているが、載置テーブル部を省略し、流し本体と補助テーブルとの間の空間に挿入される挿入ロック部のみを備えたものから構成するようにしてもよい。尚、この場合、補助テーブルのテーブル部を格子状に構成することなく、プレート状部材から構成するようにしてもよい。
【図面の簡単な説明】
【００４９】
【図１】第１の実施形態の流し台を示す外観図である。
【図２】図１の流し台の流し本体を示す外観図である。
【図３】図１の流し台の補助テーブルを示す斜視図である。
【図４】図１の流し台の固定用部材を拡大して示す斜視図である。
【図５】補助テーブルの一対の第１支持部のテーブル本体への装着様式を説明するための部分図である。
【図６】補助テーブルの一対の第２支持部のテーブル本体への装着様式を説明するための部分図である。
【図７】固定用部材の装着様式を説明するための部分図である。
【図８】固定用部材が挿入された状態を示す部分図である。
【図９】第２の実施形態の流し台における補助テーブルの取付部分を示す拡大図である。
【図１０】第３の実施形態の流し台における補助テーブルを示す部分図である。
【符号の説明】
【００５０】
２，２Ａ，２Ｂ  流し台
４，４Ｂ  流し本体
６，６Ａ，６Ｂ  補助テーブル
８  固定用部材
１６  第１支持脚
１８  第２支持脚
３２，３４  上側取付孔
３６，３８  下側取付孔
４０  テーブル部
４２，４２Ｂ，４４，４４Ｂ  第１支持部
４６，４８  第２支持部
７０，７８  当接支持部
８２  載置テーブル部
８４  挿入ロック部
１１４，１１６  支持突部
【図１】
2006141704.tif 000003
【図２】
2006141704.tif 000004
【図３】
2006141704.tif 000005
【図４】
2006141704.tif 000006
【図５】
2006141704.tif 000007
【図６】
2006141704.tif 000008
【図７】
2006141704.tif 000009
【図８】
2006141704.tif 000010
【図９】
2006141704.tif 000011
【図１０】
2006141704.tif 000012